(57)【要約】【課題】優先処理すべきデータの識別方法がユーザー毎に異なる場合においても、一元的な識別方法で優先処理サービスを行う広域ネットワークシステムを提供する。【解決手段】  広域ネットワークシステムを介してデータの送受信を行うネットワークシステムにおいて、信号の授受を行うユーザ同士はそれぞれのユーザー宅内装置に予め設定された複数のポリシーと優先度を定めた変換テーブルを有しており、送信側のユーザは前記予め設定された複数のポリシーと優先度を定めた変換テーブルにより優先度を付与して信号を送信し、受信側のユーザは前記付与されたデータを削除して受信する。【選択図】      図１
2007266933.tif 000002
【特許請求の範囲】
【請求項１】
広域ネットワークシステムを介してデータの送受信を行うネットワークシステムにおいて、信号の授受を行うユーザ同士はそれぞれのユーザー宅内装置に予め設定された複数のポリシーと優先度を定めた変換テーブルを有しており、送信側のユーザは前記予め設定された複数のポリシーと優先度を定めた変換テーブルにより優先度を付与して信号を送信し、受信側のユーザは前記付与されたデータを削除して受信することを特徴とする広域ネットワークシステム。
【請求項２】
前記優先処理は前記ユーザー宅内装置からの信号の受信時にＴＯＳフィールドを取り出し、予め優先度が設定された前記変換テーブルにより優先度を付与することを特徴とする請求項１に記載の広域ネットワークシステム。
【請求項３】
前記優先処理は前記ユーザー宅内装置からの信号の受信時にＶＩＤフィールドを取り出し、予め優先度が設定された前記変換テーブルにより優先度を付与することを特徴とする請求項１に記載の広域ネットワークシステム。
【請求項４】
前記優先処理は前記ユーザー宅内装置からの信号の受信時にＰｒｉｏｒｉｔｙフィールドを取り出し、予め優先度が設定された前記変換テーブルにより優先度を付与することを特徴とする請求項１に記載の広域ネットワークシステム。
【発明の詳細な説明】
【技術分野】
【０００１】
本発明は、通信キャリアが提供する広域イーサネット（登録商標）において優先処理サービスを提供する場合、通信キャリアのネットワークとユーザーネットワークを相互接続する機器（ユーザー宅内に設置される装置）に用いて好適な広域ネットシステムに関するものである。
【背景技術】
【０００２】
従来の通信キャリアが提供するイーサネット（登録商標）における優先処理サービスの動作例について図５(ａ)の概略構成図および図５(ｂ)のフレーム構造図を用いて説明する。
図５(ａ)において、ユーザーネットワークａ（１ａ２）とユーザーネットワークｂ（１ｂ２）はイーサネット（登録商標）で構築されており、図５(ｂ)に示すフレーム構造（ＩＥＥＥ８０２，１ｑタグフレーム）でデータ転送が行われる（図５(ｂ)においてＭＡＣはＭｅｄｉａ  Ａｃｃｅｓｓ  Ｃｏｎｔｒｏｌを示す）。
【０００３】
拠点ａ（１ａ１）のユーザーネットワークａ（１ａ２）と拠点ｂ（１ｂ１）のユーザーネットワークｂ（１ｂ２）を接続するために、それぞれの拠点にユーザー宅内装置ａ（１ａ３）、ユーザー宅内装置ｂ（１ｂ３）を設置し、通信キャリアが提供する広域イーサネット（登録商標）（１ｃ１）を利用して相互接続している。
【０００４】
ユーザーネットワークにおいて音声、電子メール等の性質の異なるデータが混在している場合、その性質に対応するために優先的にネットワークを伝送する必要がある場合がある。優先処理を行う場合には優先処理すべきデータを識別する必要があるが、従来、一般的に利用されている識別方法として次のようなものがある。
【０００５】
１）３）
図５（ｂ）に示すＩＰヘッダ内のＴＯＳ(ＩＰプレシデンス：３ビット)の値。
図５（ｂ)に示すＶＬＡＮタグ内のＵｓｅｒ  Ｐｒｉｏｒｉｔｙ（３ビット）の値。
図５（ｂ)に示すＶＬＡＮタグ内のＶＩＤ（１２ビット）の値。
イーサネット（登録商標）では、これらの値の優先度をデータ伝送する機器に予め設定しておき、高優先度データと低優先度データが競合した場合に高優先度データを優先的に伝送する。
この処理は通信キャリアが提供する広域イーサネット（登録商標）での伝送についても同様に適用される。
【０００６】
このような広域イーサネット（登録商標）を用いた通信システムの先行技術としては例えば下記の特許文献に示されたものがある。
【０００７】
【特許文献１】特開平７−２７３７８９号公報
【特許文献２】特開２００５-５１５８１号公報
【発明の開示】
【発明が解決しようとする課題】
【０００８】
前述したように優先処理すべきデータの識別方法は３種存在するが、どの方法を選択するかはユーザーがネットワークを構築する際のポリシーに依存する。つまりユーザー毎に異なることになる。従って、通信キャリアの広域イーサネット（登録商標）内の全ての機器においても、個々のユーザーに対して同等の優先処理サービスを提供するために、ユーザー個々に設定を行う必要があった。
【０００９】
従って本発明は、通信キャリアの広域イーサネット（登録商標）において、優先処理すべきデータの識別方法がユーザー毎に異なる場合においても、一元的な識別方法で優先処理サービスを行う広域ネットワークシステムを提供する。
【課題を解決するための手段】
【００１０】
本発明は上記問題点を解決するためになされたもので、請求項１記載の広域ネットワークシステムの発明においては、
広域ネットワークシステムを介してデータの送受信を行うネットワークシステムにおいて、信号の授受を行うユーザ同士はそれぞれのユーザー宅内装置に予め設定された複数のポリシーと優先度を定めた変換テーブルを有しており、送信側のユーザは前記予め設定された複数のポリシーと優先度を定めた変換テーブルにより優先度を付与して信号を送信し、受信側のユーザは前記付与されたデータを削除して受信することを特徴とする。
【００１１】
請求項２においては請求項１記載の広域ネットワークシステムにおいて、
前記優先処理は前記ユーザー宅内装置からの信号の受信時にＴＯＳフィールドを取り出し、予め優先度が設定された前記変換テーブルにより優先度を付与することを特徴とする。
【００１２】
請求項３においては請求項１記載の広域ネットワークシステムにおいて、
前記優先処理は前記ユーザー宅内装置からの信号の受信時にＶＩＤフィールドを取り出し、予め優先度が設定された前記変換テーブルにより優先度を付与することを特徴とする
【００１３】
請求項４においては請求項１記載の広域ネットワークシステムにおいて、
前記優先処理は前記ユーザー宅内装置からの信号の受信時にＰｒｉｏｒｉｔｙフィールドを取り出し、予め優先度が設定された前記変換テーブルにより優先度を付与することを特徴とする。
【発明の効果】
【００１４】
以上説明したことから明らかなように本発明の請求項１乃至４によれば、次のような効果がある。
広域イーサネット（登録商標）において優先処理サービスを提供する場合、ユーザー毎に優先処理ポリシーが異なることが想定されるが、広域イーサネット（登録商標）内の全ての機器においてユーザー宅内装置で付与されたＵｓｅｒ  Ｐｒｉｏｒｉｔｙ値のみを参照することで優先処理することができ、また優先処理識別対象フィールドにおいて全ての範囲の値を優先処理識別の設定をする必要がない。従って、広域イーサネット（登録商標）（３ｃ１）において、優先処理すべきデータの識別方法がユーザー毎に異なる場合においても、一元的な運用を行うことができる。
【発明を実施するための最良の形態】
【００１５】
図１は本発明の一実施例を示すもので、通信キャリアの広域イーサネット（登録商標）の優先処理サービスでは、最も一般的であるＶＬＡＮタグの  Ｕｓｅｒ  Ｐｒｉｏｒｉｔｙ値による優先処理についての概略構成図である。
【００１６】
図１において、ユーザー宅内装置ａ（３ａ３）にはユーザーネットワークの優先処理ポリシーに適合したポリシー種別（ＴＯＳ、ＶＩＤ、Ｕｓｅｒ  Ｐｒｉｏｒｉｔｙ）の選択と、変換テーブルを予め設定しておく。
【００１７】
広域イーサネット（登録商標）（３ｃ１）には、異なるユーザーも収容しているので、それぞれのユーザーのデータをＶＩＤで識別するため、ユーザー宅内装置ａ（３ａ３）においてユーザーネットワークａ（３ａ１）からの「入力データａ（３ａ２）」にＶＬＡＮタグを追加し、広域イーサネット（登録商標）（３ｃ１）に「出力データａ（３ａ４）」を出力する。
【００１８】
広域イーサネット（登録商標）（３ｃ１）では予め設定されている優先処理ポリシーにより優先処理を行う。ユーザー宅内装置ａ（３ａ３）で追加したＶＬＡＮタグは広域イーサネット（登録商標）（３ｃ１）内でのみ使用する目的で追加しているので、ユーザー宅内装置ｂ（３ｂ３）では「入力データｂ（３ｂ４）」からユーザー宅内装置ａ（３ａ３）で追加したＶＬＡＮタグを削除して「出力データｂ（３ｂ２）」をユーザーネットワークｂ（３ｂ１）に出力する。
【００１９】
ユーザー宅内装置ａ（３ａ３）には予めポリシー種別の選択と「変換テーブル」を設定しておく。このユーザー宅内装置ａ（３ａ３）で追加するＶＬＡＮタグのＶＩＤフィールドは広域イーサネット（登録商標）（３ｃ１）内でユーザー毎に割り当てられる値を付与する。
【００２０】
一方、Ｕｓｅｒ  Ｐｒｉｏｒｉｔｙフィールドについては、「入力データａ（３ａ２）」からポリシー種別で選択したフィールドを取り出して「変換テーブル」を参照し、対応するＵｓｅｒ  Ｐｒｉｏｒｉｔｙ値を付与する。
【００２１】
このように処理することで広域イーサネット（登録商標）（３ｃ１）では、広域イーサネット（登録商標）（３ｃ１）内の全ての機器においてユーザー宅内装置ａ（３ａ３）で付与されたＵｓｅｒ  Ｐｒｉｏｒｉｔｙ値のみを参照した優先処理が可能となる。また、「入力データａ（３ａ２）」ポリシー種別のフィールドにおいて、全ての範囲の値を優先処理識別のための設定をする必要がなくなる。
【００２２】
例えばユーザーネットワーク内では８つの優先度、広域イーサネット（登録商標）では３つの優先度で優先処理サービスを提供するシステムがあるが、広域イーサネット（登録商標）では３つの値を識別できればよいと言うことになる。したがって８つの優先度を示す値を３つの値に集約することにより、広域イーサネット（登録商標）では８つの優先度に相当する全ての値を識別する必要がなくなる。
【００２３】
次に、それぞれのポリシー種別の具体例を挙げて説明する。
図２はＴＯＳによる優先処理サービスを提供する場合を示す説明図である。
図１に示すユーザー宅内装置ａ（３ａ３）で「入力データａ（３ａ２）」を受信時に、ＴＯＳフィールドを取り出して予め設定してある「変換テーブル１」を参照する。
【００２４】
ここで、「入力データａ（３ａ２）」のＴＯＳ値が「７」の場合は「出力データａ（３ａ４）」のＵｓｅｒ  Ｐｒｉｏｒｉｔｙ値は「７」を、ＴＯＳ値が「４〜６」の場合はＵｓｅｒ  Ｐｒｉｏｒｉｔｙ値は「５」を、ＴＯＳ値が「０〜３」の場合はＵｓｅｒ  Ｐｒｉｏｒｉｔｙ値は「３」を付与して広域イーサネット（登録商標）側に出力する。
【００２５】
ユーザー宅内装置ｂ（３ｂ３）では広域イーサネット（登録商標）３ｃ１を経由して配信されたデータを受信し、ユーザー宅内装置ａ（３ａ３）で追加されたＶＬＡＮタグを削除して元のデータを復元する。
【００２６】
図１では１つのユーザー（例えば：企業Ａ）に関して示しているが、異なるユーザー（例えば：企業ＢやＣなど）も同一の広域イーサネット（登録商標）に収容されている。「ＶＩＤ＝１」の意味するところは、異なるユーザー（企業Ａ，Ｂ，Ｃなど）に一意に割り振られる識別子を意味している。
【００２７】
図３はＶＩＤによる優先処理サービスを提供する場合を示す説明図である。
この例ではユーザー宅内装置ａ（３ａ３）で「入力データａ（３ａ２）」を受信時に、ＶＩＤフィールドを取り出して予め設定してある「変換テーブル２」を参照する。
【００２８】
そして、「入力データａ（３ａ２）」のＶＩＤ値が「１〜１０」の場合は「出力データａ（３ａ４）」のＵｓｅｒ  Ｐｒｉｏｒｉｔｙ値は「７」を、ＶＩＤ値が「２０〜３０」の場合はＵｓｅｒ  Ｐｒｉｏｒｉｔｙ値は「５」を、ＶＩＤ値が「１００〜２００」の場合はＵｓｅｒ  Ｐｒｉｏｒｉｔｙ値は「３」を付与して広域イーサネット（登録商標）側に出力する。
【００２９】
ユーザー宅内装置ｂ（３ｂ３）では広域イーサネット（登録商標）３ｃ１を経由して配信されたデータを受信し、ユーザー宅内装置ａ（３ａ３）で追加したＶＬＡＮタグを削除して元のデータを復元する。
【００３０】
図４はＵｓｅｒ  Ｐｒｉｏｒｉｔｙによる優先処理サービスを提供する場合を示す説明図である。
ユーザー宅内装置ａ（３ａ３）で「入力データａ（３ａ２）」を受信時に、Ｕｓｅｒ  Ｐｒｉｏｒｉｔｙフィールドを取り出して予め設定してある「変換テーブル３」を参照する。「入力データａ（３ａ２）」のＵｓｅｒ  Ｐｒｉｏｒｉｔｙ値が「７」の場合は「出力データａ（３ａ４）」のＵｓｅｒ  Ｐｒｉｏｒｉｔｙ値は「７」を、Ｕｓｅｒ  Ｐｒｉｏｒｉｔｙ値が「４〜６」の場合はＵｓｅｒ  Ｐｒｉｏｒｉｔｙ値は「５」を、Ｕｓｅｒ  Ｐｒｉｏｒｉｔｙ値が「０〜３」の場合はＵｓｅｒ  Ｐｒｉｏｒｉｔｙ値は「３」を付与して広域イーサネット（登録商標）側に出力する。
【００３１】
ユーザー宅内装置ｂ（３ｂ３）では広域イーサネット（登録商標）３ｃ１を経由して配信されたデータを受信し、ユーザー宅内装置ａ（３ａ３）で追加したＶＬＡＮタグを削除して元のデータを復元する。
【００３２】
以上説明したように、広域イーサネット（登録商標）（３ｃ１）内の全ての機器ではユーザー宅内装置ａ（３ａ３）で付与されたＵｓｅｒ  Ｐｒｉｏｒｉｔｙ値のみを参照することで、３つのレベルに集約した優先処理サービスを提供することができる。
【００３３】
なお、以上の説明は、本発明の説明および例示を目的として特定の好適な実施例を示したに過ぎない。従って本発明は、上記実施例に限定されることなく、その本質から逸脱しない範囲で更に多くの変更、変形を含むものである。
【図面の簡単な説明】
【００３４】
【図１】本発明の一実施例を示す広域ネットワークシステムの構成図である。
【図２】ＴＯＳによる優先処理サービスを提供する場合を示す説明図である。
【図３】ＶＩＤによる優先処理サービスを提供する場合を示す説明図である。
【図４】Ｕｓｅｒ  Ｐｒｉｏｒｉｔｙによる優先処理サービスを提供する場合を示す説明図である。
【図５】従来の広域ネットワークシステムの一例を示す構成図である。
【符号の説明】
【００３５】
１ａ１  拠点ａ
１ａ２  ユーザネットワークａ
１ａ３  ユーザ宅内装置ａ
１ｂ１  拠点ｂ
１ｂ２  ユーザネットワークｂ
１ｂ３  ユーザ宅内装置ａ
１ｃ１  広域イーサネット（登録商標）
【図１】
2007266933.tif 000003
【図２】
2007266933.tif 000004
【図３】
2007266933.tif 000005
【図４】
2007266933.tif 000006
【図５】
2007266933.tif 000007